(57)【要約】【課題】鋼管矢板等の杭を圧入する際に、杭のセクション部が圧入される地盤を確実に掘削して杭の圧入抵抗を低減し、容易に回収すること。【解決手段】ケーシング付きオーガ３６、セクションオーガ５が、鋼管矢板の矢板本体１１と、セクション部１４とがそれぞれ圧入される地盤を掘削することで、杭圧入手段による鋼管矢板の圧入を補助する。また、セクションオーガ５のヘッド５３は、ヘッド本体５５にヘッド本体５５の下方から上下方向に回動自在に設けられた複数の拡縮羽根部５７を有する掘削刃部を備え、拡縮羽根部５７を左右に開くことで掘削刃部はセクション部の径を超える径まで拡径する。この拡縮羽根部５７は開いた状態でヘッド本体５５に固定ピン６１により固定される。この固定ピン６１は、セクションオーガを引き抜く際に切断される。【選択図】　　　　図１
2004011102.tif 000002
【特許請求の範囲】
【請求項１】
ヘッド本体と、
前記ヘッド本体に設けられ、前記ヘッド本体の下方から左右方向に開くように回動自在の複数の掘削刃を備えるとともに、これら複数の掘削刃を開くことにより拡径する掘削刃部と、
前記複数の掘削刃を開いて前記掘削刃部を拡径した状態で前記ヘッド本体に固定する固定ピンとを備え、
前記固定ピンは、左右に開いた状態の前記複数の掘削刃が閉じるように下方に押圧されることで切断されることを特徴とする掘削ヘッド。
【請求項２】
請求項１記載の掘削ヘッドを、地盤に圧入される地中圧入物に沿って配置される軸部の先端に取り付けて、前記複数の掘削刃を左右に開いた状態で前記固定ピンにより前記ヘッド本体に固定し前記掘削刃部を拡径して、前記地中圧入物が圧入される地盤を掘削した後、前記地中圧入物から前記軸部を引き抜くことで、前記掘削ヘッドを上昇させて、開いた状態の前記複数の掘削刃を、前記地中圧入物の下端部により下方に閉じるように押圧させて前記固定ピンを切断し、前記掘削刃部を縮径させて前記掘削ヘッドを回収することを特徴とする掘削方法。
【請求項３】
長尺の杭本体と、該杭本体の延在方向に沿って設けられるセクション部とを備える杭を地盤に圧入する杭圧入手段と、
前記杭の杭本体が圧入される地盤を掘削することで前記杭圧入手段による杭本体の圧入を補助する掘削手段と、前記杭のセクション部が圧入される地盤を掘削することで前記杭圧入手段による前記セクション部の圧入を補助するセクション掘削手段とを有し、前記セクション掘削手段の、前記セクション部内に該セクション部の延在方向に沿って配置される軸部の先端部に請求項１記載の掘削ヘッドが設けられた杭圧入引抜機を用い、前記掘削手段により前記杭の杭本体を圧入する地盤を掘削するとともに、前記セクション部の下方で、前記掘削刃を左右に開いて前記セクション部内を挿通可能に構成された前記ヘッド本体に前記固定ピンにより固定することで、前記掘削ヘッドの前記掘削刃部を前記セクション部の内径以下の状態から該セクション部の外径を超える径まで拡径させた前記セクション掘削手段により前記杭のセクション部を圧入する地盤を掘削しながら、前記杭圧入手段により杭を圧入し、
杭を圧入した後、前記軸部を前記セクション部から引き抜くように上方に移動することで、前記掘削ヘッドを上昇させて、開いた状態の前記掘削刃を前記セクション部の下端部により下方に閉じるように押圧させて前記固定ピンを切断し、前記掘削刃部を縮径させて引き抜くことを特徴とする杭圧入方法。
【発明の詳細な説明】
【０００１】
【発明の属する技術分野】
本発明は、杭及び杭のセクション用の掘削手段を有する、掘削及び杭圧入併行型の杭圧入機に備えられる掘削ヘッド、掘削方法及び杭圧入方法に関するものである。
【０００２】
【従来の技術】
従来、地盤に杭を圧入する場合、杭を圧入する地盤を掘削しつつ前記杭の圧入を補助しており、特開平１０−１９５８７２公報に示すように、杭の圧入位置をケーシング付きオーガで掘削するとともに杭を圧入することで、硬質地盤に対しても杭を圧入できる杭圧入引抜機などが開発されている。
ところで、鋼管矢板などの杭を複数地盤に連続して圧入して構造物を構築する場合、鋼管矢板のセクション部を既設の鋼管矢板のセクション部に係合させつつ、図６（ａ）に示す鋼管矢板１を挿通して配置されたケーシング付きオーガ２で掘削しながら圧入する。このケーシング付きオーガ２のオーガヘッド３の掘削範囲Ａは、図６（ｂ）に示すように、圧入する鋼管矢板１の管状の矢板本体１１の径より大きく且つ一本前に圧入した鋼管矢板１’のセクション部１２に干渉しないように、既設の鋼管矢板１’のセクション部１２との間にクリアランスａが設けられる範囲となっている。なお、このオーガヘッド３は、鋼管矢板１の圧入後引き抜く必要があるため、オーガスクリュー４の先端に接続されたヘッド本体６から左右に突出するアーム部７の先端にビットを備えた羽根部８が折り畳み自在に取り付けられ、この羽根部８を折り畳むことでその径が矢板本体１１の内径より小さくなるように構成されている。
【０００３】
【発明が解決しようとする課題】
ところで、上述した圧入方法においては、オーガヘッドの掘削範囲Ａが既設の鋼管矢板１’のセクション部１２との間のクリアランスａを考慮したものであるため、鋼管矢板１を圧入する際に、既設の鋼管矢板１’のセクション部１２に係合されるセクション部１３の先端部と、開放側のセクション部１４の先端部が掘削されていない地盤に圧入されることになり、鋼管矢板１の圧入抵抗が増大する。　この圧入抵抗の増大を減少させるべく、ケーシング付きオーガ２とともに、セクション部１２が圧入される地盤を掘削するセクションオーガを併用するとともに、セクションオーガの掘削ヘッドとしては、図７及び図８に示すように、上述した拡縮するオーガヘッド３をセクション部１２の掘削用のヘッド３０としたものが考えられる。
【０００４】
図７（ａ）や図８（ａ）に示す掘削用のヘッド３Ａ，３Ｂは、セクション部用のスクリューの先端に固定され、前記スクリューと同軸で回転するヘッド本体３０１と、ヘッド本体３０１の基端部の左右の側壁部に側方に突出して設けられた突出支持片３０２Ａ，３０２Ｂと、突出支持片３０２Ａ，３０２Ｂに回動自在に基端部が取り付けられ、且つ先端部に刃３０３ａを備える羽根部３０３とを有する。なお、両ヘッド３Ａ，３Ｂのヘッド本体３０１の下端部には、下方に突出する突出刃３０１ａが設けられている。これら両ヘッド３Ａ，３Ｂはそれぞれ羽根部３０３のヘッド本体３０１の側部における回動により掘削径が拡縮するように構成され、図７（ａ）に示すヘッド３Ａでは、杭を圧入する際の圧入抵抗により羽根部３０３がヘッド本体３０１の側部で左右に開くことで掘削径が拡径（図７（ｂ）参照）し、図８（ａ）に示すヘッド３Ｂでは、回転して地盤を掘削する際に、羽根部がヘッド本隊３０１の側部で開いて、掘削径が拡径（図８（ｂ）参照）するように構成されている。
しかし、これらヘッド３Ａ，３Ｂの構成では、圧入時や掘削時の抵抗により拡径する構成であるため、羽根部３０３が確実に開かない場合が生じる場合がある。また、羽根部３０３は突出支持部３０２で支持しているため、突出支持片３０２の強度を大きくする必要があり、突出支持片３０２を大型化する必要が生じ、杭のセクション部を圧入する地盤を掘削するために用いた場合、拡縮した状態でもセクション部の外径より大きくなってしまい、掘削後、回収できなかったり、又回収する作業が困難となる。
【０００５】
本発明の課題は、鋼管矢板等の杭を圧入する際に、杭のセクション部が圧入される地盤の掘削に用いて、確実に地盤を掘削して、杭の圧入抵抗を低減することができるとともに、回収が容易な拡縮する掘削ヘッド、掘削方法及び杭圧入方法を提供することである。
【０００６】
【課題を解決するための手段】
以上の課題を解決するため、請求項１記載の発明は、例えば、図３に示すように、ヘッド本体５５と、前記ヘッド本体に設けられ、前記ヘッド本体の下方から左右方向に開くように回動自在の複数の掘削刃（例えば拡縮羽根５７，５７）を備えるとともに、これら複数の掘削刃を開くことにより拡径する掘削刃部と、前記複数の掘削刃を開いて前記掘削刃部を拡径した状態で前記ヘッド本体に固定する固定ピン６１とを備え、前記固定ピンは、左右に開いた状態の前記複数の掘削刃が閉じるように下方に押圧されることで切断されることを特徴とする。
【０００７】
請求項１記載の発明によれば、ヘッド本体に設けられた掘削刃部は、前記複数の掘削刃を下方から左右に開き固定ピンによりヘッド本体に固定することで、確実に拡径された掘削範囲を有する状態となるとともに、左右に開いた状態の前記複数の掘削刃が閉じるように下方に押圧されることで、固定ピンが切断されて前記複数の掘削刃が前記ヘッド本体の下方で閉じて縮径状態となり、且つ、従来と異なり掘削刃を支持する部材を大型化する必要がないので、引き抜く際に上方から外力がかかる鋼管矢板などの杭のセクション部等の断面形状が小さい地中圧入物を地盤に圧入する際の地盤の掘削に好適に用いることができ、杭のセクション部等の地中圧入物が圧入される地盤を確実に掘削して、前記地中圧入物の圧入抵抗を低減することができるとともに、セクション部等の地中圧入物の圧入後、地盤から引き抜く際に、上方から前記複数の掘削刃を閉じるように押圧するだけで縮径して引き抜き回収することができる。つまり、圧入された地中圧入物の下端部などに当接するように上方に引き上げることで容易に引き抜き回収することができる。なお、掘削ヘッドは、鋼管矢板などの杭本体等の地中圧入物を圧入する地盤を掘削する際にも用いることができる。
【０００８】
請求項２記載の発明は、例えば、図５に示すように、請求項１記載の掘削ヘッド（例えばセクションオーガヘッド５３）を、地盤に圧入される地中圧入物に沿って配置される軸部の先端に取り付けて、前記複数の掘削刃を左右に開いた状態で前記固定ピンにより前記ヘッド本体に固定し前記掘削刃部を拡径して、前記地中圧入物が圧入される地盤を掘削した後、前記地中圧入物から前記軸部を引き抜くことで、前記掘削ヘッドを上昇させて、開いた状態の前記複数の掘削刃を、前記地中圧入物の下端部により下方に閉じるように押圧させて前記固定ピンを切断し、前記掘削刃部を縮径させて前記掘削ヘッドを回収することを特徴とする。
請求項２記載の発明によれば、前記複数の掘削刃を開いた状態でヘッド本体に固定ピンで固定して前記掘削刃部が拡径された状態で、地中圧入物が圧入される地盤を確実に掘削して該地中圧入物の圧入を補助することができるとともに、前記圧入地中物が圧入される地盤を掘削した後、前記地中圧入物から軸部を引き抜くことで、掘削ヘッドは上昇し、左右に開いた前記複数の掘削刃が前記地中圧入物により閉じるように下方に押圧されて前記固定ピンが切断されることで、前記固定ピンが切断された前記複数の掘削刃は、前記ヘッド本体の上昇に伴い前記地中圧入物により下方に更に押圧されるかあるいは自重により閉じた状態となって前記掘削刃部が縮径し、縮径した前記掘削刃部はヘッド本体部とともに上方に上昇して引き抜かれて回収される。つまり、掘削後、軸部を引き抜くだけで掘削ヘッドを容易に回収することができる。
【０００９】
請求項３記載の発明は、例えば図１〜図５に示すように、長尺の杭本体１１と、該杭本体の延在方向に沿って設けられるセクション部１４とを備える杭（例えば、鋼管矢板１）を地盤に圧入する杭圧入手段（チャック部３５）と、前記杭の杭本体が圧入される地盤を掘削することで前記杭圧入手段による杭本体の圧入を補助する掘削手段３６と、前記杭のセクション部が圧入される地盤を掘削することで前記杭圧入手段による前記セクション部の圧入を補助するセクション掘削手段５とを有し、前記セクション掘削手段の、前記セクション部内に該セクション部の延在方向に沿って配置される軸部５２の先端部に請求項１記載の掘削ヘッド５３を備える杭圧入引抜機を用い、前記掘削手段により前記杭の杭本体を圧入する地盤を掘削するとともに、前記セクション部の下方で、前記掘削刃を左右に開いて前記セクション部内を挿通可能に構成された前記ヘッド本体に前記固定ピンにより固定することで、前記掘削ヘッドの前記掘削刃部を前記セクション部の内径以下の状態から該セクション部の外径を超える径まで拡径させた前記セクション掘削手段により前記杭のセクション部を圧入する地盤を掘削しながら、前記杭圧入手段により杭を圧入し、杭を圧入した後、前記軸部を前記セクション部から引き抜くように上方に移動することで、前記掘削ヘッドを上昇させて、開いた状態の前記掘削刃を前記セクション部の下端部により下方に閉じるように押圧させて前記固定ピンを切断することを特徴とする。
【００１０】
請求項３記載の発明によれば、杭本体とセクション部とをそれぞれ圧入する地盤を掘削しつつ、杭を圧入することができ、特に、前記杭のセクション部の圧入抵抗を低減することで、容易に杭を圧入することができるとともに、前記杭を圧入した後、杭のセクション部から前記セクション掘削手段の軸部を引き抜くように移動することで、該軸部先端の前記掘削ヘッドは軸部の上昇に伴い、前記セクション部内方向へと移動され、前記固定ピンにより開いた状態の複数の掘削刃の、前記セクション部の径を超えた部分が　前記セクション部の下端部に当接し、さらに上昇するヘッド本体に伴い、当接するセクション部の下端部により下方に閉じるように押圧され、前記固定ピンが切断されるので、前記複数の掘削刃は閉じられ、前記掘削刃部は前記セクション部の内径以下の縮径した状態となり、ヘッド本体ととともにセクション部内を通って引き抜かれて回収される。つまり、セクション掘削手段の掘削ヘッドは、掘削後、セクション部から引く抜くだけで、軸部とともに容易に回収することができる。
【００１１】
【発明の実施の形態】
以下、図を参照して本発明の実施の形態を詳細に説明する。
本実施の形態の掘削ヘッドは、杭圧入引抜機に備えられるものであり、まず、杭圧入引抜機の構成を説明する。
図１に示す杭圧入引抜機３０は、既設の鋼管矢板１’…を掴むクランプ３１…を下部に備えたサドル３２、該サドル３２に対して前後にスライド移動するスライドベース３３、該スライドベース３３上で旋回する旋回部３４、該旋回部３４の前方において油圧シリンダ（図示略）により昇降可能で且つ、鋼管矢板１を把持するチャック部３５、先掘り用のケーシグ付きオーガ（掘削手段）３６、該ケーシング付きオーガ３６の油圧モータ３７、鋼管矢板１のセクション部１４が圧入される下方で地山掘削を行うためのセクションオーガ（セクション掘削手段）５、セクションオーガ５の油圧モータ５１、油圧モータ３７，５１に油圧を給油するホースが巻き取られるリール３８等とを備えたものである。そして、油圧モータ３７の下部には油圧シリンダ（図示略）が備えられ、これにより、後述するケーシング付きオーガ３６に備えられるオーガケーシング３６ａに対して、アースオーガ３６ｃを昇降させることができるようになっている。なお、鋼管矢板１は長尺の円筒状の矢板本体１１と、矢板本体１１の両側の外周面に設けられ、隣接して圧入される鋼管矢板と係合するセクション部１４を備える。セクション部１４は、矢板本体１１の延在方向に沿って延在し、断面視Ｃ字状のものであり、Ｃ字を形成する切り欠きどうしを係合可能となっている。
【００１２】
そして、チャック部３５は、内部にケーシング付きオーガ３６に備えられたオーガケーシング３６ａが挿通される鋼管矢板１を上下に延在した状態で把持し、チャック部３５に設けられる油圧シリンダの駆動により鋼管矢板１を圧入したり引き抜いたりすることができる。また、ケーシング付きオーガ３６は、鋼管矢板内に挿通される上述のような円筒状のオーガケーシング３６ａと、鋼管矢板の上端部に配置され、該鋼管矢板の上端部にオーガケーシング３６ａを取り付ける取付部３９とを備え、オーガケーシング３６ａ内には、先端にビット３６ｅを備えるオーガヘッド３６ｆを有するとともに、図２に示すように外周に沿って上下に螺旋状に設けられたスクリューを有するアースオーガ３６ｃが上記油圧モータ３７により回転可能に設けられている。
【００１３】
そして、上記オーガヘッド３６ｆは拡縮可能であり、オーガケーシング３６ａ内から突出してオーガケーシング３６ａを内包する鋼管矢板１の径より大きな径となる拡縮羽根部３６ｄが折り畳み自在に取り付けられている。つまり、掘削時は図２に示すようにオーガヘッド３６ｆを拡径状態としてオーガケーシング３６ａより広い範囲Ａを掘削できる。また、掘削時以外はオーガヘッド３６ｆを縮径状態とし、オーガヘッド３６ｆをオーガケーシング３６ａの内径より少し小さい径とし、オーガケーシング３６ａとともに鋼管矢板１の圧入後、鋼管矢板１内から引き抜き可能となっている。
また、ケーシング付きオーガ３６においては、オーガケーシング３６ａよりアースオーガ３６ｃが長くされるとともに、上述のように取付部３９を介して鋼管矢板に接続されたオーガケーシング３６ａに対して、オーガケーシング３６ａの上端部に設けた上述の図示しない油圧シリンダにより、アースオーガ３６ｃを上下動できるようになっている。これにより、チャック部３５によりケーシング付きオーガ３６と鋼管矢板１とを同時に地盤中で下降させて、掘削と同時に鋼管矢板１の圧入を行なうだけではなく、先にアースオーガ３６ｃだけを下降させて先堀させた後に鋼管矢板１を圧入することを繰り返すことができる。また、アースオーガ３６ｃで先堀させた際に、アースオーガ３６ｃを引き上げながら鋼管矢板１を圧入させて、既設の鋼管矢板１’…だけではなく、アースオーガ３６ｃから反力を取ることもできる。
【００１４】
セクションオーガ５は、アースオーガ３６ｃが鋼管矢板１の下方を掘削しつつ、チャック部３５の下降により鋼管矢板１を圧入する際に、アースオーガ３６ｃの下降に伴い、鋼管矢板のセクション部１４の下方の圧入位置の地山を掘削するものであり、上下方向に延在し、セクション部内に挿通される軸部（スクリュー部）５２と、軸部５２の先端に設けられたセクションオーガヘッド（掘削ヘッド）５３とを備える（図３参照）。
軸部５２は、上下方向に延在した状態で、オーガケーシング３６ａに設けられた支持部３６１と取付部３９に設けられた支持部３９１とで支持され、上端部に配置された駆動モータ５１により回転自在となっている。
駆動モータ５１の駆動により軸部５２が回転され、軸部の回転により先端部のセクションオーガヘッド５３は回転駆動され、セクション部の下方の地山を掘削する。
【００１５】
セクションオーガヘッド５３は、図３に示すように、軸部５２の先端に接続されたヘッド本体５５と、ヘッド本体５５に設けられ、ヘッド本体５５の下方から左右方向に開くように回動自在の複数の拡縮羽根部（掘削刃）５７，５７を備えるとともに、これら複数の拡縮羽根部５７，５７を開くことにより拡径する掘削刃部とを有する。
ヘッド本体５５の外径はセクション部１４の内径より短く、ヘッド本体５５自体がセクション部１４の内部を上下方向に移動可能となっている。
このヘッド本体５５の下端面には、２つの拡縮羽根部５７，５７が下方から左右に開いた際に、それらの上縁部５７ａが嵌合する凹部５８，５８が下方に開口した状態で形成されている。
凹部５８は、開いた状態の拡縮羽根部５７の上縁部５７ａが嵌合されるので、駆動モータ５１の駆動により軸部５２が回転されセクションオーガヘッド５３が軸心回りに回転し掘削を行う際にも、その掘削時のトルクを凹部５８の内側面で受けることができ、高トルクに耐えうる構成となっている。
これら凹部５８の外面側の側壁部５５ａのそれぞれには、先端方向に突出する突出壁部５９，５９が設けられている。
前記突出壁部５９，５９は互いに平行で同じ形状をなし、平面視してセクションオーガの軸線を挟んで離間して配置されている。そして、これら突出壁部５９，５９のそれぞれに、これら突出壁部５９のそれぞれの対向面側に隣接して、一対の拡縮羽根部５７，５７の一端部が支点ピン５６，５６を介して回動自在に取り付けられている。なお、支点ピン５６，５６は軸部５２の軸方向と直交するとともに、互いに平行となっており、ここでは略水平に並んで、それぞれ拡縮羽根部５７を軸支している。
拡縮羽根部５７，５７は、ヘッド本体５５の突出壁部５９，５９に支点ピン５６，５６を軸として、下方から上方に回動させることで重なった状態から互い違いに左右に開き、左右方向に開くことにより掘削刃部を拡径する。つまり、ヘッド５３自体の掘削範囲を拡径する。
【００１６】
また、この拡縮羽根部５７，５７は、左右に開かれ掘削刃部を拡径した状態のときに、開いた状態の拡縮羽根部５７の上縁部５７ａの上端面は、それぞれヘッド本体５５の凹部５８の底面に当接されており、この底面により拡縮羽根部自体の上方への回動を抑止されている。
図３（ｃ）には、拡縮羽根部５７を、一端部で軸支する支点ピン５６を中心に回動して、他端部をヘッド本体の下方に位置する状態から上方に移動し、ヘッド本体５５の側方に突出させて、セクション部１４の外径と略同じ径の掘削範囲となるようにした状態がハッチング部分Ｃで示されている。
そして、図３に示すように、他端部が側方に突出した状態、つまり開いた状態の拡縮羽根部５７は、支点ピン５６の軸方向と平行な軸の固定ピン６１によりそれぞれ突出壁部５９に固定されている。つまり、突出壁部５９と拡縮羽根部５７には、拡縮羽根部５７が開いた際に連通する支点ピン５６と平行に形成され、固定ピン６１が挿通される孔部がそれぞれ形成されている。
なお、連通する孔部に挿入された固定ピン６１は、後述するがセクションオーガヘッド５３を引き抜く際に、開いた状態の拡縮羽根部５７の突出部分がセクション部の下端縁により下方に押圧されることで切断されるものである。
そして、これら拡縮羽根部５７，５７は、固定ピン６１が切断されることで、それぞれ自重により支点ピン５６，５６を中心に下方に回動して閉じて重ねられた状態に折り畳まれ、折り畳まれることによりセクション部１４内を挿通可能となっている。
【００１７】
次に、上述したようなセクションオーガヘッド５３を有する杭圧入引抜機３０により、鋼管矢板１（１’）を地盤に圧入して矢板壁を形成する方法とともに、セクションオーガヘッド５３の掘削方法を説明する。
杭圧入引抜機３０は、既設の鋼管矢板１’をクランプ３１により掴むことにで、これら既設の鋼管矢板１’から反力を取っている。そして、上述のように、チャック部３５が鋼管矢板１を掴ませるとともに、鋼管矢板１の上端部に取付部３９を介してケーシング付きオーガ３６、セクションオーガ５を取り付ける。
このときセクションオーガ５は、鋼管矢板１のセクション部に上方から挿通させ、下端部から軸部５２の先端部、つまりセクションオーガヘッド５３を突出させる（図４（ａ）参照）。そして、突出することでセクション部１４の下方に配置されたセクションオーガヘッド５３では、図４（ｂ）に示すように、拡縮羽根部５７，５７を開くことで、拡縮羽根部５７の先端部を軸方向と直交する方向に突出させ、先端部間の長さが、セクション部の外径よりも大きな径を有する状態にする。このとき拡縮羽根部５７は凹部５８の底面に当接することで上方への移動は抑止されているとともに、凹部５８の側壁部分により挟まれた状態となる。そして、この状態で拡縮羽根部５７を固定ピン６１によりヘッド本体５５の突出壁部５９に固定する。
【００１８】
そして、ケーシング付きオーガ３６、セクションオーガ５を取り付けた状態で、アースオーガ３６ｃ、セクションオーガ５を作動させるとともにチャック部３５を下降させることにより、オーガケーシング３６ａ下及び鋼管矢板１のセクション部下をスクリューの回転駆動により、オーガヘッド３６ｆのビットで地盤を掘削しながら鋼管矢板１を圧入していく。
このとき、セクションオーガの掘削は、図１に示すように、アースオーガの掘削位置よりも高い位置で行う。
そして、上述したように、掘削時の拡径オーガヘッド３６ｆはオーガケーシング３６ａ径に対して大径であることに加えて、開放側のセクション部下部が掘削されることになり、開放側のセクション部１４が圧入抵抗を受けることなく鋼管矢板を圧入することができる（図２（ｂ）参照）。
また、地盤を先掘りし鋼管矢板１の圧入を行う場合でも、ケーシング付きオーガ３６のオーガケーシング３６ａと鋼管矢板１を上述のように固定した状態で、アースオーガ３６ｃに加えてセクションオーガ５を作動させることにより、アースオーガ３６ｃを下降させて地盤を掘削してから、次いで鋼管矢板１を地盤に圧入することができる。
そして、鋼管矢板の圧入後、図５に示すように、ケーシング付きオーガとともにセクションオーガ５を引き抜く。
セクションオーガ５を上げてセクション部から引き抜く際には、このとき、図５（ａ）に示すセクションオーガヘッド５３は、軸部５２を上昇させることで上方に移動し、図５（ｂ）に示すように、拡縮羽根部５７が開いた状態、つまり拡径された状態のまま上昇し、セクション部の下端に当接する。
そして、更にセクションオーガヘッド５３は上昇することで、固定ピン６１が切断、詳細には剪断されて、図５（ｃ）に示すように、拡縮羽根部５７は自重により折り畳まれて閉じ、セクション部１４内を移動する。これによりセクションオーガヘッド５３は、セクション部４から引き抜かれて回収される。
このようにセクションオーガ５はセクション部が圧入される地盤を掘削することでセクション部を備える鋼管矢板の圧入抵抗の低減化を図ることができるともに、その先端に設けられたオーガヘッド５３を容易に回収することができる。なお、上記実施の形態の杭圧入引抜機３０は、上記鋼管矢板１を圧入するものに限定されるものではなく、他の各種杭にも応用することができる。また、杭本体が圧入される地盤を掘削するアースオーガは、実施の形態で用いたようなオーガケーシングを備えたものではなくてもよい。
【００１９】
【発明の効果】
本発明によれば、杭のセクション部の圧入抵抗を低減して容易に杭を圧入することができるとともに、地盤を掘削した後で、容易に回収することができる。
【図面の簡単な説明】
【図１】本発明を適用した一実施の形態の杭圧入引抜機の構成を示す図である。
【図２】図１の杭圧入引抜機により圧入される鋼管矢板の下端部分と、杭圧入引抜機より圧入される鋼管矢板を示す図であり、（ａ）はケーシング付きオーガ及びセクションオーガの先端部分の要部拡大図、（ｂ）はケーシング付きオーガ及びセクションオーガにより掘削された範囲を示す地盤に圧入された鋼管矢板の概略平面図である。
【図３】本発明を適用した杭圧入引抜機の備えるセクションオーガのオーガヘッド部を示す図であり、（ａ）はセクションオーガヘッド部の拡大正面図、（ｂ）は同セクションオーガ部の要部側断面図、（ｃ）はセクションオーガヘッド部による掘削範囲を示す図である。
【図４】地盤を掘削する前のセクションオーガヘッド部の状態を示す図である。
【図５】鋼管矢板圧入後、セクションオーガヘッド部が引き抜かれる状態を示す図である。
【図６】従来の杭圧入引抜機により圧入される鋼管矢板の下端部分と、杭圧入引抜機より圧入される鋼管矢板を示す図であり、（ａ）はケーシング付きオーガ及びセクションオーガの先端部分の要部拡大図、（ｂ）はケーシング付きオーガ及びセクションオーガにより掘削された範囲を示す地盤に圧入された鋼管矢板の概略平面図である。
【図７】矢板本体の圧入する地盤掘削に用いられるオーガヘッドをセクション部用のオーガヘッドとした場合のヘッドを示す図であり、（ａ）は概略側面図、（ｂ）は（ａ）により掘削される範囲を示す図である。
【図８】矢板本体の圧入する地盤掘削に用いられるオーガヘッドをセクション部用のオーガヘッドとした場合のヘッドを示す図であり、（ａ）は概略側面図、（ｂ）は（ａ）により掘削される範囲を示す図である。
【符号の説明】
１　　鋼管矢板（杭，地中圧入物）
５　　セクションオーガ（セクション掘削手段）
１１　矢板本体（杭本体）
１４　セクション部
３５　チャック部
１６　ケーシング付きオーガ（掘削手段）
５３　セクションオーガヘッド（掘削ヘッド）
５７　拡縮羽根部（掘削刃）
６１　固定ピン
【図１】
2004011102.tif 000003
【図２】
2004011102.tif 000004
【図３】
2004011102.tif 000005
【図４】
2004011102.tif 000006
【図５】
2004011102.tif 000007
【図６】
2004011102.tif 000008
【図７】
2004011102.tif 000009
【図８】
2004011102.tif 000010